(57)【要約】【課題】  使用しない時は、柄から離脱させ、うすめ液等に単独にて浸け置きできる塗装用刷毛の毛玉を提供する。【解決手段】  玉厚部の両側面に凸型ライナ−を設け、吊り下げ部を備えた事を特徴とする塗装用刷毛の毛玉である。【選択図】図１
2010017494.tif 000002
【特許請求の範囲】
【請求項１】
玉厚丈を柄丈より短くして両側面に凸型のライナ−を設ける事を特徴とする塗装用ブラシの毛玉。
【請求項２】
吊り下げ部を設ける事を特徴とする塗装用ブラシの毛玉。
【発明の詳細な説明】
【技術分野】
【０００１】  本発明は、塗装用ブラシの毛玉に関するものであり、塗装用ブラシの毛玉の形状に工夫を加える事によって、毛玉の着脱を可能にしたものである。
【背景技術】
【０００２】  従来から、塗装用ブラシの形状としては、柄丈と玉厚丈の高さを同じとし、柄に毛玉を挟み込み、玉厚の端部と柄の端部の面を合せて、両部に貫通穴を数ヶ所設け、そこに、結束線を通して、それで、毛玉と柄を数ヶ所に分けて固縛して固定させたものである。
【発明の開示】
【発明が解決しようとする課題】
【０００３】  しかし、従来のような塗装用ブラシの形状では、柄丈と玉厚丈の高さを同じとし、柄に毛玉を挟み込み、玉厚の端部と柄の端部の面を合せて、両部に貫通穴を数ヶ所設け、そこに、結束線を通して、それで、毛玉と柄を数ヶ所に分けて固縛して固定する場合、毛玉の着脱は不可能である、さらに、玉厚近くの毛は密度が非常に濃く固くなり、そこに、毛細管現象が大きく生じるものであった［図４参照］。
そのため、塗布作業時に、玉厚近くの内部の毛まで塗材の一部がおのずと、吸い上げられ残留する、そのため、塗布作業後に、除去材を何回も新しいのに変えて塗材の突き出し洗いをしても、除去材は玉厚近くの内部の毛まで行き届きにくいため、塗材を完全に除去することは出来なかった、それは、先に塗材が玉厚近くの内部の毛にはびこるため、後から除去材を吸い上げさせても、塗材を吐き出させる事は極めて困難であった。
そのことが繰り返される事で、玉厚近くの内部の毛に少しずつ塗材が蓄積する、それが、硬化して玉厚近くの内部の毛を膨張させる、それは、毛玉の先端が大きく広がり、毛は十分あるにも拘らず、毛玉のしなる力、塗材を含む力、保持する力、吐き出す力の作用が大きく激減するために、塗装用ブラシの毛玉は極めて短い時間で柄も一緒に処分されていた。
また、玉厚近くの毛は密度が非常に濃く固いため、毛玉のしなる力、塗材を含む力、保持する力、吐き出す力を良くするためには、毛丈をどうしても特別に長くする事などで、対応するしからかった。
さらに、近年、塗材の進化に伴い、硬化剤を使用するものや、速乾性の塗材が重視され多く用いられるようになり、玉厚近くまで吸い上げられ残留する塗材は、塗布作業時にも硬化を起こすもので、塗材を除去するのに長い時間を要した。
また、塗装用ブラシを保管する時に、シンナ−等を入れた保管箱に吊るし漬け置きするため、柄がシンナ−等を吸い込み脆くなり、毛玉が一番馴染んだ時に折れる。
上記のような不都合を解決する事を課題とする。
【問題が解決するための手段】
【０００４】  この課題を解決するための請求項１の発明は、玉厚丈を柄丈より短くして、その両側面に凸型のライナ−を設ける事を特徴とする塗装用ブラシの毛玉である。毛玉を柄にセッティングし定着時に、毛玉と柄の間に隙間が生じるために、毛丈を特別に長くしなくても、玉厚近くの毛から大きく膨らむため毛玉の内部に多くの空洞部が生じるため、毛玉は柔軟に滑らかに動くようになる、だから、毛玉のしなる力、塗材を含む力、保持する力、吐き出す力の作用は大幅に向上する、さらに、塗布作業時に塗材の飛散がなくなり、塗り心地は抜群の作業性となる。
さらに、毛玉を柄に組み合わせて定着させた時に、毛玉と柄の間に隙間が生じるために、玉厚近くの毛から大きく膨らむため毛細間現象が減少する、しかも、塗材を除去する時に、除去材が玉厚近くの内部の毛まで素早く行き届く事ができるため、少ない除去材で突き出し洗いができ、しかも、短時間で玉厚近くの内部の毛に残留する塗材を完全に除去できる。
さらに、毛玉は着脱可能な柄に定着及び離脱させる事が可能となる。
【０００５】  また、請求項２の発明は、吊り下げ部を設ける事を特徴とする塗装用ブラシの毛玉である。毛玉を柄から離脱させ、毛玉だけを漬け置きすれば良くなるために、保管箱に入れるシンナ−等は少量で良くなり持ち運びが楽になる。
【発明の効果】
【０００６】  本発明により、塗装用ブラシの毛玉は、定着及び離脱させる事が可能となる。
さらに、柄にセッティングし定着時に、毛玉と柄の間に隙間が生じる事で、玉厚近くの毛から大きく膨らむために、玉厚近くの毛に生じる毛細管現象が大きく減少されるため、塗材の吸い上げはほとんど起こらなくなる。
また、毛玉と柄の間に隙間が生じる事で、玉厚近くの毛から大きく膨らむために、内部に多くの空洞部が生じるため毛丈を特別に長くしなくても、毛玉のしなる力、塗材を含む力、保持する力、吐き出す力はより向上する。
だから、一度の塗材の含ませで広い面積を塗布する事ができるようになる、しかも、塗布作業時に塗材の飛散もなくなり、塗り心地は抜群の作業性となる。
さらに、毛玉と柄の間に隙間が生じる事で、玉厚近くの毛から大きく膨らむため、塗材を除去する時に玉厚近くの内部の毛まで除去材が素早く行き届くため、少ない除去材と短時間での突き出し洗いが出来るようになる。
しかも、塗布作業時に毛玉と柄の間に隙間が生じる事で、玉厚近くの内部の毛に残留する塗材は、隙間に入り込んだ塗材で包み込まれる様になるため、空気に触れる事が非常に少なくなり硬化が遅くなるため、玉厚近くの内部の毛にはびこる塗材は完全に除去できるようになる。
したがって、玉厚近くの内部の毛が膨張する事はなくなり、毛玉がちびるまで、しなる力、塗材を含む力、保持する力、吐き出す力は長い時間作用する。
また、保管時には、毛玉を柄から離脱させ、毛玉だけを漬け置きすれば良くなるために、保管箱に入れるシンナ−等は少量で良くなり持ち運びが楽になる。
【発明を実施するための最良の形態】
【０００７】  図１は、玉厚丈を柄丈より短くして、その両側面に凸型のライナ−を設ける事を特徴とする、塗装用ブラシの毛玉の斜面図である。同図に示すように、玉厚に凸型のライナ−をアンカ−ピンで数ヶ所固定る事で毛玉は着脱可能な柄に定着及び離脱させる事が可能となる。【０００８】  図２は、玉厚丈を柄丈より短くして、玉厚の両側面に凸型のライナ−を設ける事を特徴とする、塗装用ブラシの毛玉を着脱可能な柄に定着させた断面図である。同図に示すように、毛玉と柄の間に隙間が生じるために、毛丈を特別に長くしなくても、玉厚近くの毛から大きく膨らむため毛玉の内部に空洞部が多く生じるため、毛玉のしなる力、塗材を含む力、保持する力、吐き出す力の作用は大幅に向上する、さらに、塗布作業時に塗材の飛散がなくなり塗り心地は抜群の作業性となる。【０００９】  凸型ライナ−を平らなライナ−にして、従来の形状の塗装ブラシに組み込んでも、柄幅は多少広くなるが目的を達す。【００１０】  また、玉厚の片側面だけに凸型のライナ−を設けても良い。凸型のライナ−に吊り下げ部を設けても良い。また、玉厚と凸型のライナ−に数ヶ所の貫通穴をあけ、結束線で数ヶ所に分け固縛した毛玉、又は、トジ刷毛の両側に凸型のライナ−を釘、ビス等を使用して固定しても良い。
【産業上の利用可能性】
【００１１】  本発明に係る塗装用ブラシの毛玉は、工業的に量産する事が可能であるため、産業上の利用可能を有す。
【図面の簡単な説明】
【００１２】
【図１】  玉厚丈を柄丈より短くして、その両側面に凸型のライナ−を設けた塗装用ブラシの毛玉の斜面図である。
【図２】  玉厚丈を柄丈より短くして、玉厚の両側面に凸型のライナ−を設けた塗装用ブラシの毛玉を着脱可能な柄に定着させた断面図である。
【図３】  結束線で玉厚を単独で固縛して、凸型ライナ−を両側にアンカ−ピンを用いて玉厚に固定した実施例の毛玉の断面図である。
【図４】  従来の塗装用ブラシの断面図である。
【記号の説明】
１は、毛丈
２は、玉厚
３は、凸型ライナ−
４は、穴
５は、結束線
６は、アンカ−ピン
７は、結束線
８は、吊り下げ金具
９は、柄丈
１０は、柄
【図１】
2010017494.tif 000003
【図２】
2010017494.tif 000004
【図３】
2010017494.tif 000005
【図４】
2010017494.tif 000006
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
玉厚部の両側面に凸型ライナ−を設け、吊り下げ部を備えた事を特徴とする塗装用刷毛の毛玉。
【手続補正２】
【補正対象書類名】明細書
【補正対象項目名】全文
【補正方法】変更
【補正の内容】
【発明の詳細な説明】
【技術分野】
【０００１】  本発明は、使用しない時は柄から離脱させ、うすめ液等に単独で吊るし浸け置きできる塗装用刷毛の毛玉に関するものである。
【背景技術】
【０００２】  従来、塗装用刷毛は、毛玉と柄は一対形成で構成されていた。
【発明の開示】
【発明が解決しようとする課題】
【０００３】  そのために、次のような問題点があった。
（イ）瞬時に毛玉は柄からの、離脱、及び、着装する事はできなかった。
（ロ）毛玉を柄に固定した時に、玉厚部を強く締め付けるために、内部に毛細管現象が大きく生じ、塗材の吸い上げ蓄積が起きる、その塗材を完全に除去する事ができないため、玉厚部の内部で硬化して毛玉を膨らませる原因となっていた。
（ハ）毛玉から塗材を除去する時に、玉厚近くの内部の毛まで除去材が行き届き難くいため、長い時間を要し大変苦労していた。
（ニ）毛玉のしなる力、塗材を含む力、保持する力、吐き出す力を良くするためには、毛丈を特別に長くする事で対応されていた。
（ホ）毛玉が磨り減って使用できなくなると、手に馴染んだ柄であっても一緒に処分するしかなかった。
（ヘ）うすめ液等に、柄も一緒に吊るし浸けて保管するため、保管箱がどうしても大きな物が必要となり、うすめ液等の量も多く必要で持ち運びに大変不便であった。
（ト）柄がうすめ液等を吸い込み、毛丈が一番馴染んだ頃に、脆くなり折れる事が多かった。
本発明は、これらの問題点を解決するためになされたものである。
【問題を解決するための手段】
【０００４】  玉厚部の両側面に凸型ライナ−を設け、吊り下げ部を備える。以上を特徴とする塗装用刷毛の毛玉である。
【発明の効果】
【０００５】  瞬時に毛玉は柄から、離脱、及び、着装をする事が可能となるため、使用しない時は、毛玉は柄から離脱させ単独で保管できるようになる。
また、毛玉の着脱可能な柄に、瞬時に着装固定ができ一対の塗装用刷毛となる。
そのため、保管箱は小さい物で良くなり、うすめ液等も少量ですむため持ち運びが楽になる。
毛玉は、柄に直接固定されないため、玉厚部は強く締め付けられる事はなく、内部に生じる毛細管現象は減少し塗材の吸い上げ蓄積はほとんど起こらない。
しかも、毛玉を柄に定着させた時に、毛玉と柄の間に隙間が生じるために、玉厚部近くの毛から大きく膨らむために、毛丈を特別に長くしなくても柔軟に作用するため、毛玉のしなる力、塗材を含む力、保持する力、吐き出す力は大幅に向上するために、一度の塗材の含ませで広い面積を塗布する事が可能となる。
塗材を除去する時に、除去材が素早く玉厚部近くの内部の毛まで行き届くために、短時間に毛玉から塗材を完全に除去できるようになる。
柄は、うすめ液等に浸けないから脆くならない、さらに、毛丈が磨り減って使用ができなくなった毛玉は、新しい毛玉にすれば良く、手に馴染んだ柄は処分せず長期に亘り使用ができるようになる。
【発明を実施するための最良の形態】
【０００６】  以下、本発明の実施の形態について説明する。
玉厚部（１）に吊り下げ部（４）を備える、玉厚部（１）の両側面に凸型ライナ（２）をアンカ−ピン（３）で打ち込み固定して設ける。
本発明は以上のような構成だから、使用しない時は、毛玉は柄から離脱させ、うすめ液等に単独で吊るし浸け置き保管する。
さらに、毛玉の着脱可能な柄に瞬時に定着でき一対の塗装用刷毛となる。【０００７】  凸型ライナ−は木材に限らなくても良い、ライナ−の凸型を凹型にしても良い。玉厚部を単独で結束線で束ねても良い。
【図面の簡単な説明】
【０００８】
【図１】  本発明の斜視図
【図２】  本発明を柄に定着した一部断面図
【図３】  従来の一部斜視図
【記号の説明】
【０００９】    １  玉厚
２  凸型ライナ−
３  アンカ−ピン
４  吊り下げ金具
５  毛玉
６  柄
７  連結装置
８  結束線
【手続補正３】
【補正対象書類名】図面
【補正対象項目名】全図
【補正方法】変更
【補正の内容】
【図１】
2010017494.tif 000007
【図２】
2010017494.tif 000008
【図３】
2010017494.tif 000009